(57)【要約】【課題】カップ回りの平滑性を確保しつつ、本物のカップに近いカップイン音を発音できるホールカップを提供すること。【解決手段】ホールカップ１０は、床躯体２と、この床躯体２の上に束柱を介して支持された床版３と、を備える床構造１に設けられる。床版３には、床貫通孔５が形成される。ホールカップ１０は、床貫通孔５の直下で床躯体２と床版３とで挟持される略円筒形状のカップ本体２０と、このカップ本体２０の底面に支柱３２を介して支持された発音板３３と、を備える。【選択図】図１
2014090893.tif 000002
【特許請求の範囲】
【請求項１】
床躯体と、当該床躯体の上に束柱を介して支持された床版と、を備える床構造に設けられるホールカップであって、
前記床版には、貫通孔が形成され、
当該貫通孔の直下で前記床躯体と前記床版とで挟持される略円筒形状のカップ本体と、を備えることを特徴とするホールカップ。
【請求項２】
前記カップ本体の底面に支柱を介して支持された発音板をさらに備えることを特徴とする請求項１に記載のホールカップ。
【請求項３】
前記カップ本体の上面を閉塞可能な蓋部をさらに備え、
当該蓋部は、前記カップ本体の内部に収容される円筒形状の筒部と、前記床版と略同じ高さに位置して前記筒部の上端を閉塞する閉塞部と、を備えることを特徴とする請求項１または２に記載のホールカップ。
【発明の詳細な説明】
【技術分野】
【０００１】
本発明は、ホールカップに関する。詳しくは、ゴルフのパター練習を行うためのホールカップに関する。
【背景技術】
【０００２】
従来より、床面上に敷設して使用するパター練習マットが知られている（特許文献１、２参照）。このパター練習台は、例えば、床面に敷設された長尺状のマットと、このマットの一端側に設けられたカップと、を備える。このカップの周囲のマットは、カップの深さを確保するために盛り上がって形成されている。
【先行技術文献】
【特許文献】
【０００３】
【特許文献１】特開２００７−１３０３４０号公報
【特許文献２】特開２００４−６５４０７号公報
【発明の概要】
【発明が解決しようとする課題】
【０００４】
しかしながら、以上のようなパター練習マットは、カップの周囲が盛り上がっているため、平滑性に欠ける、という問題があった。
そこで、カップの周囲の平滑性を確保しようとすると、カップの深さを浅くする必要があり、ボールの落下時の衝撃が小さくなって、本物のカップに近いカップイン音を発音することが困難となる。
【０００５】
本発明は、カップ回りの平滑性を確保しつつ、本物のカップに近いカップイン音を発音できるホールカップを提供することを目的とする。
【課題を解決するための手段】
【０００６】
請求項１に記載のホールカップ（例えば、後述のホールカップ１０）は、床躯体（例えば、後述の床躯体２）と、当該床躯体の上に束柱を介して支持された床版（例えば、後述の床版３）と、を備える床構造（例えば、後述の床構造１）に設けられるホールカップであって、前記床版には、貫通孔（例えば、後述の床貫通孔５）が形成され、当該貫通孔の直下で前記床躯体と前記床版とで挟持される略円筒形状のカップ本体（例えば、後述のカップ本体２０）と、を備えることを特徴とする。
【０００７】
この発明によれば、床版の下にホールカップを設けたので、カップ回りの平滑性を確保できる。さらに、ホールカップにある程度の深さを確保できるから、ゴルフボールによる落下時の衝撃が大きくなり、本物のカップに近いカップイン音を発音できる。
また、ホールカップにある程度の深さを確保したので、ゴルフボールがカップインした際に、このゴルフボールが外から見えてしまうのを防止できる。
また、本物のホールカップは土中に埋まっているため、カップイン音がくぐもって聞こえる。そこで本発明では、カップ本体を床躯体と床版とで挟持して固定したので、実際のホールカップに近いくぐもった音を実現できる。
【０００８】
請求項２に記載のホールカップは、前記カップ本体の底面（例えば、後述の底部２２）に支柱（例えば、後述の支柱３２）を介して支持された発音板（例えば、後述の発音板３３）をさらに備えることを特徴とする。
【０００９】
この発明によれば、カップ本体の底面に支柱を介して発音板を設けたので、ゴルフボールがホールカップ内に落下すると、発音板がゴルフボールの衝撃を適度に吸収して、響きの良いカップイン音を実現できる。
【００１０】
請求項３に記載のホールカップは、前記カップ本体の上面を閉塞可能な蓋部（例えば、後述の蓋部４０）をさらに備え、当該蓋部は、前記カップ本体の内部に収容される円筒形状の筒部（例えば、後述の筒部４１）と、前記床版と略同じ高さに位置して前記筒部の上端を閉塞する閉塞部（例えば、後述の閉塞部４２）と、を備えることを特徴とする。
【００１１】
この発明によれば、カップ本体の上面を閉塞可能な蓋部を設けたので、この蓋部をカップ本体に収納するだけで、カップ本体を隠すことができ、ホールカップを設けた部屋を居室として安全に使用できる。
【発明の効果】
【００１２】
本発明によれば、床版の下にホールカップを設けたので、カップ回りの平滑性を確保できる。さらに、ホールカップにある程度の深さを確保できるから、ゴルフボールによる落下時の衝撃が大きくなり、本物のカップに近いカップイン音を発音できる。また、ホールカップにある程度の深さを確保したので、ゴルフボールがカップインした際に、このゴルフボールが外から見えてしまうのを防止できる。また、本物のホールカップは土中に埋まっているため、カップイン音がくぐもって聞こえる。そこで本発明では、カップ本体を床躯体と床版とで挟持して固定したので、実際のホールカップに近いくぐもった音を実現できる。
【図面の簡単な説明】
【００１３】
【図１】本発明の一実施形態に係るホールカップが設けられた床構造の断面図である。
【図２】図１のＡ−Ａ断面図である。
【図３】前記実施形態に係るホールカップの分解斜視図である。
【図４】前記実施形態に係るホールカップの動作を説明するための図である。
【発明を実施するための形態】
【００１４】
以下、本発明の一実施形態について、図面を参照しながら説明する。
図１は、本発明の一実施形態に係るホールカップ１０が設けられた床構造１の断面図である。図２は、図１のＡ−Ａ断面図である。図３は、ホールカップ１０の分解斜視図である。
床構造１は、建物の室内に設けられた二重床（フリーアクセスフロア）である。この床構造１は、鉄筋コンクリート造の床躯体２と、この床躯体２の上に図示しない束柱を介して支持された床版３と、この床版３の上に敷設されたタイルカーペット４と、を備える。
床版３は、束柱で支持されているため、床躯体２の上方に離隔して設けられている。
【００１５】
床版３およびタイルカーペット４には、円形の床貫通孔５が形成されており、この床貫通孔５の直下にはホールカップ１０が設けられている。
【００１６】
ホールカップ１０は、床貫通孔５の直下に位置するカップ本体２０と、このカップ本体２０の底面に設けられた発音部３０と、カップ本体２０の上面を閉塞可能な蓋部４０と、を備える。
【００１７】
カップ本体２０は、床躯体２と床版３との間に挟持される。このカップ本体２０は、略鉛直方向に延びる円筒形状の鋼製の筒部２１と、この筒部２１の下端面を閉塞する底部２２と、を備える。筒部２１は、例えば、亜鉛めっきが施された鋼管である。
【００１８】
発音部３０は、底部２２の上に設けられた円盤状の基部３１と、この基部３１の中心から上方に延びる円筒形状の支柱３２と、この支柱３２に支持された略円盤状の発音板３３と、を備える。
発音板３３の周縁は、カップ本体２０の筒部２１の内壁面から離れており、これにより、発音板３３は、支柱３２のみで支持された状態である。
また、支柱３２は、発音板３３を貫通しており、これにより、発音板３３には支柱３２による円筒形状の穴３４が形成される。この穴３４には、旗棒が差し込み可能である。
基部３１は、カップ本体２０の底部２２の上面に両面テープで貼り付けられている。
【００１９】
蓋部４０は、カップ本体２０の内部に収容される円筒形状の筒部４１と、床版３の床面と略同じ高さに位置して筒部４１の上端を閉塞する閉塞部４２と、閉塞部４２の上に敷設されたタイルカーペット４３と、を備える。筒部４１は、例えば、亜鉛めっきが施された鋼管である。
【００２０】
筒部４１の外径は、筒部２１の内径よりも僅かに小さくなっている。
タイルカーペット４３は、床構造１のタイルカーペット４と同一の材質・仕様であり、  蓋部４０をカップ本体２０に取り付けた状態では、このタイルカーペット４３は、床構造１のタイルカーペット４と面一となっている。
【００２１】
また、閉塞部４２およびタイルカーペット４３の略中心には、人の指が入る程度の大きさの指抜き用貫通孔４４が形成されている。よって、蓋部４０をカップ本体２０に取り付けた状態で、指抜き用貫通孔４４に指を通して引っ掛けることにより、蓋部４０を持ち上げてカップ本体２０から取り外すことができる。
【００２２】
このホールカップ１０によれば、図４に示すように、蓋部４０を取り外した状態で、パターの練習を行う。ゴルフボール１１が床構造１のタイルカーペット４上を転がってホールカップ１０に落ちると、このゴルフボールが発音板３３に当たって発音する。
【００２３】
本実施形態によれば、以下のような効果がある。
（１）床版３の下にホールカップ１０を設けたので、カップ回りの平滑性を確保できる。さらに、ホールカップ１０にある程度の深さを確保できるから、ゴルフボール１１による落下時の衝撃が大きくなり、本物のカップに近いカップイン音を発音できる。
また、ホールカップ１０にある程度の深さを確保したので、ゴルフボール１１がカップインした際に、このゴルフボール１１が外から見えてしまうのを防止できる。
また、カップ本体２０を床躯体２と床版３とで挟持して固定したので、実際のホールカップに近いくぐもった音を実現できる。
【００２４】
（２）カップ本体２０の底部２２に支柱３２を介して発音板３３を設けたので、ゴルフボール１１がホールカップ１０内に落下すると、発音板３３がゴルフボール１１の衝撃を適度に吸収して、響きの良いカップイン音を実現できる。
【００２５】
（３）カップ本体２０の上面を閉塞可能な蓋部４０を設けたので、この蓋部４０をカップ本体２０に収納するだけで、カップ本体２０を隠すことができ、ホールカップ１０を設けた部屋を居室として安全に使用できる。
【００２６】
（４）タイルカーペット４およびタイルカーペット４３として、ゴルフのグリーンに類似するものを選択して用いることで、より実際のグリーンに近いパター練習ができる。
【００２７】
（５）発音部３０の基部３１をカップ本体２０の底部２２の上面に両面テープで貼り付けたので、基部３１を容易に取り外して発音板３３を交換でき、音色を簡単に調整できる。
【００２８】
なお、本発明は前記実施形態に限定されるものではなく、本発明の目的を達成できる範囲での変形、改良等は本発明に含まれるものである。
例えば、前記実施形態では、発音部３０の基部３１を両面テープで底部２２の上面に貼り付けたが、これに限らない。すなわち、例えば、基部３１を接着剤で底部２２に取り付けてもよいし、基部３１を底部２２に溶接で固定してもよい。
【符号の説明】
【００２９】
１…床構造
２…床躯体
３…床版
４…タイルカーペット
５…床貫通孔
１０…ホールカップ
１１…ゴルフボール
２０…カップ本体
２１…筒部
２２…底部
３０…発音部
３１…基部
３２…支柱
３３…発音板
３４…穴
４０…蓋部
４１…筒部
４２…閉塞部
４３…タイルカーペット
４４…指抜き用貫通孔
【図１】
2014090893.tif 000003
【図２】
2014090893.tif 000004
【図３】
2014090893.tif 000005
【図４】
2014090893.tif 000006